(57)【特許請求の範囲】
【請求項１】
ねじスタッドを受入れるスタッド受入穴が形成された基部を有し、該基部のスタッド受入穴には、受入れたスタッドのねじに係止する複数の係止爪が設けられており、該係止爪はねじの溝に入り込んでねじのフランクに係合する爪先端を有する、スタッド係止具において、
前記スタッド受入穴は平面でみて長穴となるように形成されており、各係止爪は、該長穴形状のスタッド受入穴の長手方向に延びる板状体で形成されており、
前記複数の係止爪は、スタッドの軸方向に異なる位置に且つスタッドを中心に対向して対を成すように設けられており、
前記係止爪の各々は、前記基部から、スタッド受入穴の中心に向けて斜めに延びる弾性アームによって支持されており、
前記係止爪の各々には、異なるねじピッチをもつ、少なくとも２つのスタッドに対し、共通のねじ溝に入り込むことのできる複数の爪先端が形成され、該爪先端の各々は板状体の前記係止爪に前記長手方向に長く形成されており、
前記係止爪の各々は、前記爪先端のない部分が全スタッドのねじ山部を受入れる凹部として形成され、該凹部は板状体の前記係止爪に前記長手方向に長く形成されており、
前記爪先端は、全スタッドのねじフランクに係合できる複数の第１の爪先端と、該第１の爪先端から前記凹部を間にしてスタッドの軸方向に異なる位置に形成され且ついずれか１つのスタッドのねじフランクに係合できる第２の爪先端とから成る、
ことを特徴とするスタッド係止具。
【請求項２】
請求項１に記載のスタッド係止具において、係止爪は、２対設けられており、対を成す係止爪の各々の高さはスタッドの軸方向にずらされている、ことを特徴とするスタッド係止具。
【発明の詳細な説明】
【０００１】
【産業上の利用分野】
本発明は、自動車の車体等のパネルに立設されたねじスタッドに、基部を挿入することによって、固定することのできるスタッド係止具に関する。
【０００２】
【従来の技術】
ねじスタッドを受入れるスタッド受入穴が形成された基部を有し、そのスタッド受入穴には、受入れたスタッドのねじに係止する複数の係止爪が設けられ、係止爪の爪先端が、ねじ溝に入り込んでねじ斜面すなわちねじのフランクに係合することによって、パネルに固定されるスタッド係止具は知られている。実開平７−２２１８９号公報には、燃料パイプやブレーキパイプ等を自動車の車体等のパネルに保持させるスタッド係止具が開示されている。このスタッド係止具は、パネルに固着されたねじスタッドを受入れるスタッド受入穴が形成された基部と、該基部から側方に一体的に延び且つ開口した部分への押し込みによりパイプを保持するパイプグリップ部を備え、基部のスタッド受入穴には、受入れたスタッドのねじ部分に係止する係止爪が形成され、パイプを保持した状態で、基部の受入穴をねじスタッドにあてがい、そのまま押込めば、パイプ保持部材の基部がパネルに固定され、パイプ保持部材のパイプグリップ部に保持されたパイプがパネル上に固定配置される。
【０００３】
【発明が解決しようとする課題】
かかる従来のスタッド係止具においては、係止するねじスタッドは１種類であり、係止爪は、そのねじスタッドのねじピッチに合わせて形成されているので、対応するねじスタッドへのスタッド係止具の係止力は高い。しかし、対応していないねじピッチのねじスタッドへ、スタッド係止具を係止すると、係止が不十分であり、係止力が低くなってしまう。
【０００４】
従って、本発明の目的は、ねじピッチの異なる複数のねじスタッドに適応できるスタッド係止具を提供することにある。
【０００５】
【課題を解決するための手段】
かかる目的を達成するため、本発明によれば、ねじスタッドを受入れるスタッド受入穴が形成された基部を有し、基部のスタッド受入穴には、受入れたスタッドのねじに係止する複数の係止爪が設けられており、係止爪はねじの溝に入り込んでねじのフランクに係合する爪先端を有する、スタッド係止具であって、スタッド受入穴は平面でみて長穴となるように形成されており、係止爪の各々は、長穴形状のスタッド受入穴の長手方向に延びる板状体で形成されており、複数の係止爪は、スタッドの軸方向に異なる位置に且つスタッドを中心に対向して対を成すように設けられており、各係止爪は、基部から、スタッド挿入方向にみてスタッド受入穴の中心に向けて斜めに延びる弾性アームによって支持されており、係止爪の各々には、異なるねじピッチをもつ、少なくとも２つのスタッドに対し、共通のねじ溝に入り込むことのできる複数の爪先端が形成され、該爪先端の各々は板状体の係止爪に長手方向に長く形成されており、係止爪の各々は、爪先端のない部分が全スタッドのねじ山部を受入れる凹部として形成され、凹部は板状体の係止爪に長手方向に長く形成されており、爪先端は、全スタッドのねじフランクに係合できる複数の第１の爪先端と、第１の爪先端から凹部を間にしてスタッドの軸方向に異なる位置に形成され且ついずれか１つのスタッドのねじフランクに係合できる第２の爪先端とから成る、ことを特徴とするスタッド係止具が提供される。
本発明のスタッド係止具は、ねじピッチの異なる複数のねじスタッドに対して、高い係止力をもってねじスタッドに固定することができ、その高い係止力をそのまま維持でき、複数のスタッドの取付けピッチ誤差をその長穴の長手方向にずらして対応でき、挿入容易で且つ抜け方向への阻止力を高く維持できる。
【０００６】
本発明においては、係止爪を、２対設け、対を成す係止爪の各々の高さをスタッドの軸方向にずらすことによって、係止力を一層高くできる。
【０００７】
【発明の実施の形態】
以下、本発明の実施例について図面を参照しながら説明する。図１〜図５に本発明の実施例となるスタッド係止具１を示す。スタッド係止具１は、パネルに立設されたねじスタッドを受入れるスタッド受入穴が形成された基部２と、基部２から側方に一体的に延び且つ開口した部分への押し込みによりパイプを保持するパイプ保持部３とがプラスチックで一体成形されている。パイプ保持部３は、一方が開口したほぼＵ字形の樋の形状に形成され、その開口端からは斜めに延びる弾性片５が形成され、押し込まれたパイプを抜けないようにしている。図２にはパイプ６が保持された状態が示されている。このパイプ保持部３は、普通のものであり、これ以上の説明を省略する。なお、本発明に係るスタッド係止具１は、図示のパイプ保持部３を有するものに限るつもりはない。例えば、パイプ保持部を、他の部材の保持部に形成してもよく、ワイヤハーネス等を保持するバンド結束部であってもよく、更には、基部２だけしかないものであってもよい。
【０００８】
基部２には、ねじスタッドを受入れるスタッド受入穴７が形成されている。このスタッド受入穴７は、パイプ保持部３に保持されたパイプ６の長手方向（図２の紙面に垂直の方向）に平行な方向に長い長穴として形成されている。スタッド受入穴７には、受入れたスタッドのねじに係止する係止爪９が形成されている。係止爪９は、複数（図示の例では４個）設けられて、対を成している。各係止爪９には、本発明に従って、特定の爪先端が形成されている。係止爪９の詳細については、後述する。基部２の側面は、図２に示すように、係止爪９を型成形するための窓１０が形成されている。この窓１０は、プラスチック材料の節約及びスタッド係止具全体の軽量化にも寄与している。基部２の強度を保つため、基部２の各側面の中央には、スタッド受入穴７の外側に、補強用の支柱１１が形成されている。この補強用の支柱１１は、スタッドを受入れたとき、スタッドが斜めに入るのを防止するガイドとしても機能する。
【０００９】
係止爪９は、本発明に従って、異なるねじピッチをもつ複数のスタッドに係止できるように、特定の形状に形成されている。係止爪９の形状の説明の前に、図６（Ａ）及び（Ｂ）を用いて、異なるねじピッチをもつ２つのスタッド１３及び１４について説明する。図６（Ａ）において、第１スタッド１３は大きいねじピッチ１５を有し、第２スタッド１４は小さいねじピッチ１７を有する。また、第１スタッド１３のねじ山の形状及び高さと第２スタッド１４のねじ山の形状及び高さとは、違っている。図６（Ｂ）は、ピッチや形状の違う第１スタッド１３と第２スタッド１４を重ね合わせて示す。
【００１０】
図６の円Ｃで示す部分が、図７に拡大されている。図７において、丸１８で示す部分は、両スタッド１３、１４のねじ溝が共通する部分であって、第１スタッド１３のねじ斜面すなわちフランクが、第２スタッド１４のフランクにほぼ一致している。四角１９で示す部分は、第１スタッド１３のねじ山が、第２スタッド１４のねじ溝に重なって、そのねじ溝が埋められている部分である。また、三角２１で示す部分は、第１スタッド１３の広いねじ溝の間に第２スタッド１４のねじ山が入り込んでおり、この部分では、両スタッドのねじ山のフランクは一致していないが、第２スタッド１４のフランクは第１スタッド１３の広いねじ溝にあり、更に、第２スタッドのねじ溝もこの第１スタッドのねじ溝にあって、ねじ溝が共通している。
【００１１】
図７及び上記の解析から明らかなように、第１スタッド１３及び第２スタッド１４に適合できる係止爪を得るには、スタッドのねじ溝に入り込んでねじ山のフランクに係合する爪先端を形成し、他の部分には余計な爪先端を形成しないように選定せねばならない。爪先端は、上記解析における丸部分１８には設けることができる、しかし、通常の場合に設けられる場所である、四角部分１９には、爪先端を設けることができない。そして、三角部分２１には、第２スタッド１４のフランクとねじ溝があるので、この部分には、第２スタッド１４だけに係合する第２スタッド専用の爪先端を設けることができる。
【００１２】
このように、図７及び上記の解析から、本発明によれば、図８の係止爪９が得られる。図８において、係止爪９は、共通のねじ溝（図７の丸部分１８及び三角部分２１）に入り込むことのできる複数の爪先端２２、２３、及び２５が形成されている。そして、係止爪９には、爪先端２２と２３の間に凹部２６が、爪先端２３と２５の間に凹部２７が、スタッドのねじ山部を受入れるように形成されている。前記した爪先端のうち、爪先端２２と爪先端２５とは、図７の丸部分１８の共通溝に入り込むもので、両スタッドのねじフランクに係合できる第１の爪先端となっている。また、爪先端２３は、図７の三角部分２１にある共通溝に入り込むもので、第２スタッドのねじフランクに係合できる第２の爪先端となっている。更に、凹部２６は、図７の四角部分１９にあるねじ山を受入れる凹部となっている。これらの爪先端の形成及び凹部の形成によって、２つのスタッド１３及び１４に適合する係止爪９を得ることができる。本発明によれば、図８に示すように、係止爪９は、爪先端２２、２３、２５及び凹部２６、２７を有するように形成される。なお上記の例では、異なるねじピッチをもつ２つのスタッドに適する係止爪を説明したが、３以上の異なるねじピッチをもつスタッドに対しても適合する係止爪を同様に得ることができる。
【００１３】
再び、図２、図４及び図５を参照して、係止爪９の説明を続ける。複数の係止爪９は、スタッドの長手方向（図２の上下方向）に異なる位置に且つスタッドを中心に対向して対を成すように設けられている。図示の例では、係止爪９は、２対設けられており、これらの対をなす係止爪の各々の高さは、スタッドの長手方向にずらされている。このずらしの高さは、複数のスタッドの重ね合わせ部分の形状に合わせて選定される。これらによって、係止爪９のスタッドへの係合の位置が多くなり、係止力を高く維持できる。
【００１４】
また、既述のように、基部２のスタッド受入穴７は平面でみて長穴となるように形成されている。これに合わせて、各係止爪９は、スタッド受入穴７の長穴の長手方向に延びる板状体で形成されている（図４及び図５参照）。このように形成することによって、パネルに複数のスタッドが取付けられている場合に、スタッドの取付位置の誤差に伴うスタッド間のピッチ誤差を修正するように、スタッド受入穴７の長穴の長手方向にずらすことができる。更に、各係止爪９は、スタッド受入穴７の中で、基部２の内壁からスタッド受入穴の中心に向けて延びる弾性アーム２９によって弾性的に支持されている。この弾性アーム２９は、スタッド受入穴７の入口側から奥に向けて徐々にスタッド受入穴７の中心に向かうように斜めに延びている。これによって、スタッド受入穴７へのスタッドの挿入が容易になり、更に、取付後のスタッド係止具１の抜け方向への阻止力を高く維持できる。
【００１５】
図９は、第１スタッド１３が車体等のパネル３０が立設されている場合に、本発明のスタッド係止具１を、パイプを保持した状態（あるいはパイプを保持する前の状態）で、第１スタッド１３に取付けた様子を示す。また、図１０は、第２スタッド１４がパネル３０が立設されている場合に、スタッド係止具１を第２スタッド１４に取付けた様子を示す。図９においても、図１０においても、複数の係止爪９はいずれも、ピッチの異なる第１スタッド１３及び第２スタッド１４のねじ溝に係合しており、これによって、本発明のスタッド係止具１は、異なるピッチのねじをもつスタッドに、高い係止力で係止することが理解さてよう。
【００１６】
【発明の効果】
本発明のスタッド係止具の係止爪の各々には、異なるねじピッチをもつ、少なくとも２つのスタッドに対し、共通のねじ溝に入り込むことのできる複数の爪先端が形成され且つ該爪先端のない部分は全スタッドのねじ山部を受入れるように形成されており、前記爪先端は、全スタッドのねじフランクに係合できる複数の第１の爪先端と、いずれか１つのスタッドのねじフランクに係合できる第２の爪先端とから成るので、ねじピッチの異なる複数のねじスタッドに対して、高い係止力をもってねじスタッドに固定することができる。また、複数の係止爪を、スタッドの長手方向に異なる位置に且つスタッドを中心に対向して対を成すように設けて、係止力を高く維持することができ、基部のスタッド受入穴は平面でみて長穴となるように形成し、各係止爪を、長穴形状のスタッド受入穴の長手方向に延びる板状体で形成して、複数のスタッドの取付けピッチ誤差を吸収することができ、各係止爪を、基部から、スタッド挿入方向にみてスタッド受入穴の中心に向けて斜めに延びる弾性アームによって支持させて、挿入を容易にすることができ、抜け方向への阻止力を高く維持できる。
【図面の簡単な説明】
【図１】本発明の１実施例に係るスタッド係止具の平面図である。
【図２】図１のスタッド係止具の正面図である。
【図３】図１のスタッド係止具の底面図である。
【図４】図２のスタッド係止具のＡ−Ａ線断面図である。
【図５】図２のスタッド係止具のＢ−Ｂ線断面図である。
【図６】２つのねじスタッドとその重ね合わせを説明するものであり、（Ａ）は第１スタッドと第２スタッドの輪郭を示す図、（Ｂ）は第１スタッドと第２スタッドとを重ね合わせて、輪郭を示す図である。
【図７】図６（Ｂ）の円Ｃの部分の拡大図である。
【図８】係止爪の拡大図である。
【図９】本発明のスタッド係止具が第１スタッドに係止した様子を示す、スタッド係止具の部分断面図である。
【図１０】本発明のスタッド係止具が第２スタッドに係止した様子を示す、スタッド係止具の部分断面図である。
【符号の説明】
１  スタッド係止具
２  基部
３  パイプ保持部
５  弾性片
６  パイプ
７  スタッド受入穴
９  係止爪
１０  基部の窓
１１  支柱
１３  第１スタッド
１４  第２スタッド
１５、１７  ねじのピッチ
２２、２５  係止爪の第１爪先端
２３  係止爪の第２爪先端
２６、２７  凹部
２９  弾性アーム
３０  パネル
【図１】
0004005190.tif 000002
【図２】
0004005190.tif 000003
【図３】
0004005190.tif 000004
【図４】
0004005190.tif 000005
【図５】
0004005190.tif 000006
【図６】
0004005190.tif 000007
【図７】
0004005190.tif 000008
【図８】
0004005190.tif 000009
【図９】
0004005190.tif 000010
【図１０】
0004005190.tif 000011